(57)【要約】【課題】誘引栽培施設にける各種作業を容易に実施する。【解決手段】（Ａ）誘引線５よりも低い高さの位置で横方向に張り出す張り出し部材１４を備える誘引栽培用作業スタンド１０を、誘引状態を変更すべき植物の近傍へと移動させる。（Ｂ）誘引状態を変更すべき植物の茎が固定された茎支持部材６を持ち上げて誘引線５から取り外し、誘引栽培用作業スタンド１０の張り出し部材１４に引っ掛けて吊り下げる。（Ｃ）クリップ部材８，８から開放した植物の茎７を、張り出し部材１４に吊り下げられている茎支持部材６に対して沿わせる様に配置し直した上で、再びクリップ部材８，８で茎支持部材６に固定し直す。（Ｅ）茎７が固定し直された茎支持部材６を、持ち上げて張り出し部材１４から取り外すと共に、誘引線５に対して吊り下げる位置を調整しつつ引っ掛け直す。【選択図】  図１
2018126103.tif 000002
【特許請求の範囲】
【請求項１】
栽培施設内に張り渡した誘引線に引っ掛けて吊り下げた棒状の茎支持部材に対してクリップ部材で植物の茎を固定して誘引を行う方法であって、以下の手順で作業を行うことを特徴とする誘引方法。
（Ａ）前記誘引線よりも低い高さの位置で横方向に張り出す張り出し部材を備える誘引栽培用作業スタンドを、誘引状態を変更すべき植物の近傍へと移動させること。
（Ｂ）前記誘引状態を変更すべき植物の茎が固定された茎支持部材を持ち上げて前記誘引線から取り外し、前記誘引栽培用作業スタンドの前記張り出し部材に引っ掛けて吊り下げること。
（Ｃ）前記クリップ部材から開放した植物の茎を、前記張り出し部材に吊り下げられている茎支持部材に対して沿わせる様に配置し直した上で、再び前記クリップ部材で前記茎支持部材に固定し直すこと。
（Ｅ）前記茎が固定し直された茎支持部材を、持ち上げて前記張り出し部材から取り外すと共に、前記誘引線に対して吊り下げる位置を調整しつつ引っ掛け直すこと。
【請求項２】
栽培施設内に張り渡した誘引線に引っ掛けて吊り下げた棒状の茎支持部材に対して植物の茎を固定して誘引を行う誘引栽培において用いる器具であって、以下の構成を備えていることを特徴とする誘引栽培用作業スタンド。
（１）複数個の車輪を備えるベース部材と、該ベース部材から立設された支柱と、前記誘引線よりも低い高さの位置で前記支柱に対して横方向に張り出す様に設けられた張り出し部材と、前記支柱に対して前記張り出し部材よりも低い位置から突設されたフックとを備え、前記張り出し部材は、その両端が前記支柱を中心として反対方向に張り出す様に設けられていること。
【請求項３】
さらに、以下の構成をも備えていることを特徴とする請求項１に記載の誘引栽培用作業スタンド。
（２）前記フックは、前記張り出し部材よりも短く突出し、該張り出し部材の張り出し方向に対して交差する方向に向かって突設されていること。
【請求項４】
さらに、以下の構成をも備えていることを特徴とする請求項１又は２に記載の誘引栽培用作業スタンド。
（３）前記張り出し部材には、落下防止部材が上方に向かって突設されていること。
【請求項５】
さらに、以下の構成をも備えていることを特徴とする請求項１〜３のいずれかに記載の誘引栽培用作業スタンド。
（４）上下方向に距離をあけ、高さ方向に隣接するもの同士が前記支柱を中心として反対方向に突出する様に前記フックが複数個設けられていること。
【請求項６】
さらに、以下の構成をも備えていることを特徴とする請求項１〜４のいずれかに記載の誘引栽培用作業スタンド。
（５）前記張り出し部材は、前記支柱に対して上端から挿入可能な軸部材に設けられ、該軸部材を前記支柱に対して挿入深さを異ならせた位置で固定することのできる固定部材を備えていること。
【請求項７】
さらに、以下の構成をも備えていることを特徴とする請求項１〜５のいずれかに記載の誘引栽培用作業スタンド。
（６）前記ベース部材が前記支柱を中心に放射状に伸びる複数本の腕部を有し、前記車輪として、支軸を中心に回転可能なキャスタ式車輪を前記複数本の腕部の先端側の底面に取り付けたこと。
【請求項８】
さらに、以下の構成をも備えていることを特徴とする請求項１〜５のいずれかに記載の誘引栽培用作業スタンド。
（７）前記ベース部材が前記支柱を中心に平行な２条の腕部を有し、前記車輪として、戸車型の溝を有する車輪を、前記２条の腕部のそれぞれの両端の底面に、前記溝を前記各腕部の伸びる方向に一致させる様に取り付けたこと。
【発明の詳細な説明】
【技術分野】
【０００１】
本発明は、トマトやパプリカなどの植物を栽培する施設における誘引方法及びこれに用いる器具に係り、特に、施設内に張り渡した誘引線に棒状の茎支持部材を引っ掛けて誘引栽培を行う施設において有効な誘引方法及び器具に関するものである。
【背景技術】
【０００２】
従来より、トマトやパプリカなどの植物を栽培する施設では、施設内に張り渡した「誘引線」から垂れ下がらせた「誘引紐」を植物の茎に巻き付けて誘引する誘引栽培法（特許文献１，２）や、、施設内に張り渡した「誘引線」に引っ掛けた「茎支持部材」に「保持部材」を用いて茎を保持させて誘引する誘引栽培法（特許文献３）が知られている。
【先行技術文献】
【特許文献】
【０００３】
【特許文献１】特開2015-65965（0017，0021〜0027，図2，図5）
【特許文献２】特開2011-30469（0021，0023，0027，0028，図4，図6，図8）
【特許文献３】特開2000-209956（0012〜0019，図1〜図3）
【発明の概要】
【発明が解決しようとする課題】
【０００４】
これら誘引栽培法では、植物の成長に伴い、誘引線に沿って茎を横方向に移動させる作業が必要であり、誘引紐の巻き直しや、保持部材の止め直しを実施しなければならない。このとき、誘引紐の巻き直しや茎支持部材への止め直し、さらには、巻き直した誘引紐や止め直した茎支持部材の横方向移動は、特許文献１，２に示される様に、台車や昇降ステージを用いる必要がある。また、葉かき作業や収穫作業も台車や昇降ステージを用いる必要がある。
【０００５】
そこで、本発明は、誘引栽培施設にける各種作業を容易に実施できる様にすることを目的とする。
【課題を解決するための手段】
【０００６】
上記目的を達成するためになされた本発明の誘引方法は、栽培施設内に張り渡した誘引線に引っ掛けて吊り下げた棒状の茎支持部材に対してクリップ部材で植物の茎を固定して誘引を行う方法であって、以下の手順で作業を行うことを特徴とする。
（Ａ）前記誘引線よりも低い高さの位置で横方向に張り出す張り出し部材を備える誘引栽培用作業スタンドを、誘引状態を変更すべき植物の近傍へと移動させること。
（Ｂ）前記誘引状態を変更すべき植物の茎が固定された茎支持部材を持ち上げて前記誘引線から取り外し、前記誘引栽培用作業スタンドの前記張り出し部材に引っ掛けて吊り下げること。
（Ｃ）前記クリップ部材から開放した植物の茎を、前記張り出し部材に吊り下げられている茎支持部材に対して沿わせる様に配置し直した上で、再び前記クリップ部材で前記茎支持部材に固定し直すこと。
（Ｅ）前記茎が固定し直された茎支持部材を、持ち上げて前記張り出し部材から取り外すと共に、前記誘引線に対して吊り下げる位置を調整しつつ引っ掛け直すこと。
【０００７】
本発明の誘引方法によれば、誘引栽培用作業スタンドを、誘引状態を変更すべき植物の近傍へと移動させ、当該植物を誘引している茎支持部材を持ち上げて誘引線から取り外し、誘引栽培用作業スタンドの張り出し部材に引っ掛けて吊り下げる。このとき、茎支持部材は棒状であるから、作業者は、地上に立った状態で棒状の部分を手で握って持ち上げることにより、誘引線から茎支持部材を容易に取り外すことができる。そして、誘引栽培用作業スタンドの張り出し部材は、誘引線よりも低い高さの位置で横方向に張り出しているから、茎支持部材は低い位置で吊り下げられた状態となる。この結果、作業者は、クリップ部材から植物の茎を開放させる作業も、開放した植物の茎を茎支持部材に対して上下方向に沿わせる様に配置し直す作業も、配置し直した茎をクリップ部材で固定し直す作業も、地上に立った状態で実施することができる。そして、茎支持部材に対して茎を固定し直した後、作業者は、地上に立ったままで、茎支持部材の棒状の部分を手で握って持ち上げることにより、誘引栽培用作業スタンドの張り出し部材から茎支持部材を容易に取り外すことができ、さらに持ち上げつつ吊り下げ位置を調整して誘引線に茎支持部材を引っ掛け直すことにより、成長に伴って伸びた茎を横方向にずらしながら誘引を行うことができる。なお、このとき、誘引栽培用作業スタンドを、茎支持部材を引っ掛け直す位置まで移動させてから、茎支持部材を持ち上げて引っ掛け直す作業を行うとよい。
【０００８】
上記目的を達成するためになされた本発明の誘引栽培用作業スタンドは、栽培施設内に張り渡した誘引線に引っ掛けて吊り下げた棒状の茎支持部材に対して植物の茎を固定して誘引を行う誘引栽培において用いる器具であって、以下の構成を備えていることを特徴とする。
（１）複数個の車輪を備えるベース部材と、該ベース部材から立設された支柱と、前記誘引線よりも低い高さの位置で前記支柱に対して横方向に張り出す様に設けられた張り出し部材と、前記支柱に対して前記張り出し部材よりも低い位置から突設されたフックとを備え、前記張り出し部材は、その両端が前記支柱を中心として反対方向に張り出す様に設けられていること。
【０００９】
本発明の誘引栽培用作業スタンドによれば、複数個、より好ましくは３個以上の車輪を備えているから、栽培施設内における移動が容易であり、安定した状態に立設させておくことができる。また、張り出し部材が誘引線よりも低い高さの位置で支柱に対して横方向に張り出す様に設けられているから、誘引線から取り外した茎支持部材を低い位置に吊り下げることができる。そして、さらに低い位置にフックを備えているから、誘引に際して植物の茎を茎支持部材に固定するクリップ部材を収容するバケツなどの収容具をさらに低い位置にぶら下げておくことができる。この結果、茎支持部材にクリップ部材で固定していた植物の茎を自由にする際には、取り外したクリップ部材を収容具に収容し、植物の茎を茎支持部材の棒状の部分に沿わせ直して固定する際には、収容具からクリップ部材を取り出して固定する作業を、片手で茎と茎支持部材を持ち、収容具から取り出したクリップ部材をもう一方の手で固定し直す作業を容易に実施することができる。このとき、フックは、張り出し部材の張り出し方向に交差する方向、例えば、直交する方向に突出されているから、無理なくクリップ部材の取り出しと固定とを実施することができる。また、張り出し部材を支柱を中心に両端が反対方向に張り出す様に設けているから、複数の茎支持部材を、張り出し部材に対して支柱を中心に振り分ける様に吊り下げることで誘引栽培用作業スタンドを安定した直立状態に維持することができるから、同時に複数の茎の誘引状態の変更を実施することができる。なお、本発明の誘引栽培用作業スタンドは、誘引状態を変更する作業以外に、葉かきや収穫等の作業に際しても、茎支持部材を張り出し部材に吊り下げて地上に立った状態で作業することができる。
【００１０】
本発明の誘引栽培用作業スタンドは、さらに、以下の構成をも備えるとよい。
（２）前記フックは、前記張り出し部材よりも短く突出し、該張り出し部材の張り出し方向に対して交差する方向に向かって突設されていること。
【００１１】
かかる構成をも備えた誘引栽培用作業スタンドは、バケツ等を作業の邪魔にならない様にぶら下げることができ、バケツ等をフックにぶら下げたときに転倒モーメントを抑制することができる。
【００１２】
これら本発明の誘引栽培用作業スタンドは、さらに、以下の構成をも備えるとよい。
（３）前記張り出し部材には、落下防止部材が上方に向かって突設されていること。
【００１３】
落下防止部材をも備えた誘引栽培用作業スタンドは、多数の茎支持部材を吊り下げた場合などにおいて、茎支持部材が張り出し部材から落下することがなく、安定した状態で作業を行うことができる。
【００１４】
これら本発明の誘引栽培用作業スタンドは、さらに、以下の構成をも備えるとよい。
（４）上下方向に距離をあけ、高さ方向に隣接するもの同士が前記支柱を中心として反対方向に突出する様に前記フックが複数個設けられていること。
【００１５】
かかる構成をも備えた誘引栽培用作業スタンドによれば、上下方向に距離をあけ、高さ方向に隣接するフック同士が支柱を中心として反対方向に突出する様に複数個のフックが設けられているから、各フックにバケツ等をぶら下げたときに互いに邪魔にならず、誘引栽培用作業スタンドを挟んで複数の作業者を配置して同時に各種作業を実施することができる。また、同じ方向を向いた複数個のフックがある場合には、クリップ部材を収容するバケツと、葉かきした残さを収容するバケツとを区別してぶら下げることができる。
【００１６】
これら本発明の誘引栽培用作業スタンドは、さらに、以下の構成をも備えることができる。
（５）前記張り出し部材は、前記支柱に対して上端から挿入可能な軸部材に設けられ、該軸部材を前記支柱に対して挿入深さを異ならせた位置で固定することのできる固定部材を備えていること。
【００１７】
かかる構成をも備えた誘引栽培用作業スタンドによれば、張り出し部材を高さ方向に移動させることができるから、植物の成長状態や作業の内容に最適な高さにて作業できる様に調整することができる。
【００１８】
これら本発明の誘引栽培用作業スタンドは、さらに、以下の構成をも備えることができる。
（６）前記ベース部材が前記支柱を中心に放射状に伸びる複数本の腕部を有し、前記車輪として、支軸を中心に回転可能なキャスタ式車輪を前記複数本の腕部の先端側の底面に取り付けたこと。
【００１９】
キャスタ式車輪を備えた誘引栽培用作業スタンドは、レール等の設備を施すことなく、栽培施設内を容易に移動させることができる。
【００２０】
これら本発明の誘引栽培用作業スタンドは、（６）に代えて、以下の構成をも備えることができる。
（７）前記ベース部材が前記支柱を中心に平行な２条の腕部を有し、前記車輪として、戸車型の溝を有する車輪を、前記２条の腕部のそれぞれの両端の底面に、前記溝を前記各腕部の伸びる方向に一致させる様に取り付けたこと。
【００２１】
戸車型の溝を有する車輪を備えた誘引栽培用作業スタンドは、レールを設置することにより、畝と畝の間をスムーズに移動させながら各種作業を行うことができる。
【発明の効果】
【００２２】
本発明によれば、誘引栽培施設にける各種作業を容易に実施することができる。
【図面の簡単な説明】
【００２３】
【図１】実施例１の誘引栽培用作業スタンド及びこれを用いた誘引方法を示す説明図である。
【図２】実施例１の誘引栽培施設における茎の固定方法等を示す説明図である。
【図３】実施例１の誘引栽培用作業スタンドの六面図である。
【図４】実施例２の誘引栽培用作業スタンドの六面図である。
【図５】実施例２の誘引栽培用作業スタンドにおいて張り出し部材を上昇させた状態の正面図及び右側面図と、支柱に挿入する軸部材の正面図及び右側面図と、要部の拡大断面図である。
【図６】実施例３の誘引栽培用作業スタンドの六面図である。
【図７】実施例４の誘引栽培用作業スタンドの六面図である。
【発明を実施するための形態】
【００２４】
以下、本発明を実施するための形態を、図面に示す具体的な実施例に基づいて説明する。
【実施例１】
【００２５】
図１〜図３に基づいて実施例１を説明する。実施例１の栽培施設１は、図１（Ａ）に示す様に、所定の間隔をあけて設置した栽培ベンチ２に対して複数個の養液栽培用培地３を載置し、トマトを誘引栽培にて水耕栽培するためのものである。床面は、床材４で覆われて平坦となっている。図２（Ｂ）に示す様に、栽培施設１の天井部には、ワイヤを用いた誘引線５が張り渡され、茎支持部材６が引っ掛けられて吊り下げられている。
【００２６】
茎支持部材６は、全体は真っ直ぐな棒状部６ａを備え、誘引線５に対して引っ掛けることができる様に上端を鉤状部６ｂとする様に曲げた太い針金で製造されている。植物の茎７は、図２（Ａ），（Ｃ）に示す様に、洗濯ばさみに類似する形態の複数個のクリップ部材８で適宜箇所を挟み付けて茎支持部材６に対して固定する。クリップ部材８は、図２（Ｂ），（Ｃ）に示す様に、茎支持部材６の棒状部６ａに対して上下方向にスライド可能となる様に取り付けることができ、全体として洗濯ばさみに類似する形態を呈し、植物の茎７を挟み付ける部分にはクッション材８ａが装着されている。
【００２７】
本実施例においては、誘引作業を行うに際して、図１（Ａ），（Ｂ）に示す様に、誘引栽培用作業スタンド１０を用いる。
【００２８】
本実施例の誘引栽培用作業スタンド１０は、図３に示す様に、４個の車輪１１を備えるベース部材１２と、ベース部材１２から立設された支柱１３と、誘引線５よりも低い高さの位置で支柱１３に対して横方向に張り出す様に設けられた張り出し部材１４と、支柱１３に対して張り出し部材１４よりも低い位置から突設されたフック１５とを備えている。
【００２９】
ベース部材１２は、支柱１３を中心に放射状に伸びる４本の腕部１２ａ〜１２ｄを有し、平面視Ｘ字状に構成されている。そして、車輪１１として、支軸を中心に回転可能なキャスタ式車輪を４本の腕部１２ａ〜１２ｄの先端側の底面に取り付けてある。
【００３０】
張り出し部材１４は、両端が支柱１３を中心として反対方向に張り出す様に、支柱１３の上端に中央を固定された水平な棒材によって構成されている。張り出し部材１４の両端には、落下防止部材１４ａ，１４ｂが上方に向かって突設されている。
【００３１】
フック１５は、張り出し部材１４よりも短く突出し、張り出し部材１４の張り出し方向に対して直交する方向に向かって突設され、先端を上方に屈曲させた鉤状のもので構成されている。
【００３２】
本実施例においては、図１（Ａ），（Ｂ）に示す様に、誘引栽培用作業スタンド１０を、誘引状態を変更すべき植物の近傍へと移動させ、当該植物を誘引している茎支持部材６を持ち上げて誘引線５から取り外し、誘引栽培用作業スタンド１０の張り出し部材１４に引っ掛けて吊り下げる。このとき、茎支持部材６は棒状であるから、作業者は、地上に立った状態で棒状の部分６ａを手で握って持ち上げることにより、誘引線５から茎支持部材６を容易に取り外すことができる。また、茎支持部材６の上端は鉤状部６ｂとされているから、張り出し部材１４に対して容易に引っ掛けることができる。
【００３３】
そして、誘引栽培用作業スタンド１０の張り出し部材１４は、誘引線５よりも低い高さの位置で横方向に張り出しているから、茎支持部材６は低い位置で吊り下げられた状態となる。
【００３４】
この結果、作業者Ｐは、クリップ部材８，８から植物の茎７を開放させる作業も、開放した植物の茎７を茎支持部材６に対して上下方向に沿わせる様に配置し直す作業も、配置し直した茎７をクリップ部材８，８で固定し直す作業も、地上に立った状態で実施することができる。
【００３５】
そして、茎支持部材６に対して茎７を固定し直した後、作業者Ｐは、地上に立ったままで、茎支持部材６の棒状の部分６ａを手で握って持ち上げることにより、誘引栽培用作業スタンド１０の張り出し部材１４から茎支持部材６を容易に取り外すことができ、さらに持ち上げつつ吊り下げ位置を調整して誘引線５に茎支持部材６を鉤上部６ｂを介して引っ掛け直すことにより、成長に伴って伸びた茎７を横方向にずらしながら誘引を行うことができる。
【００３６】
以上の手順を時系列に沿って記載すると、以下の（Ａ）〜（Ｅ）となる。
【００３７】
（Ａ）誘引線５よりも低い高さの位置で横方向に張り出す張り出し部材１４を備える誘引栽培用作業スタンド１０を、誘引状態を変更すべき植物の近傍へと移動させる。
（Ｂ）誘引状態を変更すべき植物の茎が固定された茎支持部材６を持ち上げて誘引線５から取り外し、誘引栽培用作業スタンド１０の張り出し部材１４に引っ掛けて吊り下げる。
（Ｃ）クリップ部材８，８から開放した植物の茎７を、張り出し部材１４に吊り下げられている茎支持部材６に対して沿わせる様に配置し直した上で、再びクリップ部材８，８で茎支持部材６に固定し直す。
（Ｅ）茎７が固定し直された茎支持部材６を、持ち上げて張り出し部材１４から取り外すと共に、誘引線５に対して吊り下げる位置を調整しつつ引っ掛け直す。
【００３８】
なお、このとき、誘引栽培用作業スタンド１０を、茎支持部材６を引っ掛け直す位置まで移動させてから、茎支持部材６を持ち上げて引っ掛け直す作業を行ってもよい。
【００３９】
また、実施例１の誘引栽培用作業スタンド１０は、以下の構成を備えている。
（１）複数個の車輪１１を備えるベース部材１２と、ベース部材１２から立設された支柱１３と、誘引線５よりも低い高さの位置で支柱１３に対して横方向に張り出す様に設けられた張り出し部材１４と、支柱１３に対して張り出し部材１４よりも低い位置から突設されたフック１５とを備え、張り出し部材１４は、その両端が支柱１３を中心として反対方向に張り出す様に設けられていること。
（２）フック１５は、張り出し部材１４よりも短く突出し、張り出し部材１４の張り出し方向に対して交差する方向に向かって突設されていること。
（３）張り出し部材１４には、落下防止部材１４ａ，１４ｂが上方に向かって突設されていること。
（６）ベース部材１２が支柱１３を中心に放射状に伸びる４本の腕部１２ａ〜１２ｄを有し、車輪１１として、支軸を中心に回転可能なキャスタ式車輪を４本の腕部１２ａ〜１２Ｄの先端側の底面に取り付けたこと。
【００４０】
実施例１の誘引栽培用作業スタンド１０によれば、（１）の構成を備えていることにより、以下の様な作用・効果が奏される。
【００４１】
４個の車輪１１を備えているから、栽培施設内における移動が容易であり、安定した状態に立設させておくことができる。また、張り出し部材１４が誘引線５よりも低い高さの位置で支柱１３に対して横方向に張り出す様に設けられているから、誘引線５から取り外した茎支持部材６を低い位置に吊り下げることができる。そして、さらに低い位置にフック１５を備えているから、誘引に際して植物の茎７を茎支持部材６に固定するクリップ部材８，８を収容するバケツ９をさらに低い位置にぶら下げておくことができる。この結果、茎支持部材６にクリップ部材８，８で固定していた植物の茎を自由にする際には、取り外したクリップ部材８，８をバケツ９に収容し、植物の茎７を茎支持部材６の棒状部６ａに沿わせ直して固定する際には、バケツ９からクリップ部材８，８を取り出して固定する作業を、片手で茎７と茎支持部材６を持ち、バケツ９から取り出したクリップ部材８，８をもう一方の手で固定し直す作業を容易に実施することができる。このとき、フック１５は、張り出し部材１４の張り出し方向に直交する方向に突出されているから、無理なくクリップ部材８，８の取り出しと固定とを実施することができる。また、張り出し部材１４を支柱１３を中心に両端が反対方向に張り出す様に設けているから、複数の茎支持部材６，６，…を、張り出し部材１４に対して支柱１３を中心に振り分ける様に吊り下げることで誘引栽培用作業スタンド１０を安定した直立状態に維持することができるから、同時に複数の茎の誘引状態の変更を実施することができる。なお、実施例１の誘引栽培用作業スタンド１０は、誘引状態を変更する作業以外に、葉かきや収穫等の作業に際しても、茎支持部材６を張り出し部材１４に吊り下げて地上に立った状態で作業することができる。
【００４２】
実施例１の誘引栽培用作業スタンド１０によれば、（２）の構成を備えていることにより、バケツ９を作業の邪魔にならない様にぶら下げることができ、バケツ９をフック１５にぶら下げたときに転倒モーメントを抑制することができる。
【００４３】
実施例１の誘引栽培用作業スタンド１０によれば、（３）の構成を備えていることにより、多数の茎支持部材６，６，…を吊り下げた場合などにおいて、茎支持部材６が張り出し部材１４から落下することがなく、安定した状態で作業を行うことができる。この結果、各種作業を安定した状態で実施することができる。
【００４４】
実施例１の誘引栽培用作業スタンド１０によれば、（６）の構成を備えていることにより、レール等の設備を施すことなく、栽培施設内を容易に移動させることができる。
【実施例２】
【００４５】
図４，図５に基づいて実施例２としての誘引栽培用作業スタンド２０を説明する。実施例２の誘引栽培用作業スタンド２０は、４個の車輪２１を備えるベース部材２２と、ベース部材２２から立設された支柱２３と、誘引線５よりも低い高さの位置で支柱２３に対して横方向に張り出す様に設けられた張り出し部材２４と、支柱２３に対して張り出し部材２４よりも低い位置から突設されたフック２５とを備えている。
【００４６】
ベース部材２２は、支柱２３を中心に放射状に伸びる４本の腕部２２ａ〜２２ｄを有し、平面視Ｘ字状に構成されている。そして、車輪２１として、支軸を中心に回転可能なキャスタ式車輪を４本の腕部２２ａ〜２２ｄの先端側の底面に取り付けてある。
【００４７】
張り出し部材２４は、支柱２３に対して上端から挿入可能な軸部材２６の上端に、両端が支柱２３を中心として反対方向に張り出す様に中央を固定された水平な棒材によって構成されている。張り出し部材２４の両端には、落下防止部材２４ａ，２４ｂが上方に向かって突設されている。また、軸部材２６を支柱２３に対して挿入深さを異ならせた位置で固定することのできる固定部材２７を備えている。
【００４８】
フック２５は、張り出し部材２４よりも短く突出し、張り出し部材２４の張り出し方向に対して直交する方向に向かって突設され、先端を上方に屈曲させた鉤状のもので構成されている。
【００４９】
以上の様に構成された実施例２の誘引栽培用作業スタンド２０は、実施例１の誘引栽培用作業スタンド１０による作用・効果に加えて、張り出し部材２４を高さ方向に移動させることができるから、植物の成長状態や作業の内容に最適な高さにて作業できる様に調整することができるというさらなる作用・効果を奏する。
【実施例３】
【００５０】
図６に基づいて実施例３としての誘引栽培用作業スタンド３０を説明する。実施例３の誘引栽培用作業スタンド３０、４個の車輪３１を備えるベース部材３２と、ベース部材３２から立設された支柱３３と、誘引線５よりも低い高さの位置で支柱３３に対して横方向に張り出す様に設けられた張り出し部材３４と、支柱３３に対して張り出し部材３４よりも低い位置から突設されたフック３５とを備えている。
【００５１】
ベース部材３２は、支柱３３を中心に平行な２条の腕部３２ａ，３２ｂを有し、車輪３１として、戸車型の溝３１ａを有する車輪を、２条の腕部３２ａ，３２ｂのそれぞれの両端の底面に、溝３１ａを各腕部３２ａ，３２ｂの伸びる方向に一致させる様に取り付けている。２条の腕部３２ａ，３２ｂは、長さ方向中央同士を連結板３２ｃによって連結され、ベース部材３２は全体として平面視Ｈ字状を呈するものとなっている。支柱３３は、この連結板３２ｃの中心に立設されている。
【００５２】
張り出し部材３４は、両端が支柱３３を中心として反対方向に張り出す様に、支柱３３の上端に中央を固定された水平な棒材によって構成されている。張り出し部材３４の両端には、落下防止部材３４ａ，３４ｂが上方に向かって突設されている。
【００５３】
フック３５は、張り出し部材３４よりも短く突出し、張り出し部材３４の張り出し方向に対して直交する方向に向かって突設され、先端を上方に屈曲させた鉤状のもので構成されている。
【００５４】
以上の様に構成された実施例３の誘引栽培用作業スタンド３０は、戸車型の溝を有する車輪３１を備えたことにより、栽培施設の床にレールを設置することにより、畝と畝の間をスムーズに移動させながら各種作業を行うことができる。なお、移動以外の作用・効果は、実施例１と同様である。
【実施例４】
【００５５】
図７に基づいて実施例４としての誘引栽培用作業スタンド４０を説明する。実施例４の誘引栽培用作業スタンド４０、４個の車輪４１を備えるベース部材４２と、ベース部材４２から立設された支柱４３と、誘引線５よりも低い高さの位置で支柱４３に対して横方向に張り出す様に設けられた張り出し部材４４と、支柱４３に対して張り出し部材４４よりも低い位置から突設された複数個のフック４５〜４７とを備えている。
【００５６】
ベース部材４２は、支柱４３を中心に放射状に伸びる４本の腕部４２ａ〜４２ｄを有し、平面視Ｘ字状に構成されている。そして、車輪４１として、支軸を中心に回転可能なキャスタ式車輪を４本の腕部４２ａ〜４２ｄの先端側の底面に取り付けてある。
【００５７】
張り出し部材４４は、両端が支柱４３を中心として反対方向に張り出す様に、支柱４３の上端に中央を固定された水平な棒材によって構成されている。張り出し部材４４の両端には、落下防止部材４４ａ，４４ｂが上方に向かって突設されている。
【００５８】
３個のフック４５〜４７は、上下方向に距離をあけ、高さ方向に隣接するもの同士が支柱４３を中心として反対方向に突出する様に設けられている。３個のフック４５〜４７は、いずれも張り出し部材４４よりも短く突出し、張り出し部材４４の張り出し方向に対して直交する方向に向かって突設され、先端を上方に屈曲させた鉤状のもので構成されている。
【００５９】
以上の様に構成された実施例４の誘引栽培用作業スタンド４０によれば、実施例１の誘引栽培用作業スタンド１０による作用・効果に加えて、以下の作用・効果が発揮される。
【００６０】
上下方向に距離をあけ、高さ方向に隣接するもの同士が支柱４３を中心として反対方向に突出する様に３個のフック４５〜４７が設けられているから、各フックにバケツ等をぶら下げたときに互いに邪魔にならず、誘引栽培用作業スタンド４０を挟んで複数の作業者を配置して同時に各種作業を実施することができる。また、同じ方向を向いた２個のフック４５，４７があるから、クリップ部材等を収容するバケツと、葉かきした残さを収容するバケツとを区別してぶら下げることができる。
【００６１】
以上説明した各実施例によれば、誘引栽培施設にける各種作業を容易に実施することができる。
【００６２】
以上、本発明の実施例を説明したが、本発明は実施例に限られるものではなく、その要旨を逸脱しない範囲内においてさらに種々の形態を採用することができることはもちろんである。
【００６３】
例えば、実施例３の誘引栽培用作業スタンド３０についても、実施例２の誘引栽培用作業スタンド２０と同様に上端に張り出し部材を固定した軸部材を支柱に対して挿入可能な構成として固定部材で高さ方向の位置を調整可能にしたり、実施例４の誘引栽培用作業スタンド４０と同様に、複数個のフックを、上下方向に距離をあけ、高さ方向に隣接するもの同士が支柱を中心として反対方向に突出する様に設けるなど、各実施例間の相違点を互いに補完しあう様に変更してもよいことはもちろんである。
【産業上の利用可能性】
【００６４】
温室における作物の栽培に利用することができる。
【符号の説明】
【００６５】
１・・・栽培施設、２・・・栽培ベンチ、３・・・養液栽培用培地、４・・・床材、５・・・誘引線、６・・・茎支持部材、６ａ・・・棒状部、６ｂ・・・鉤状部、７・・・植物の茎、８・・・クリップ部材、８ａ・・・クッション材、９・・・バケツ、１０・・・誘引栽培用作業スタンド、１１・・・キャスタ式車輪、１２・・・ベース部材、１２ａ〜１２ｄ・・・腕部、１３・・・支柱、１４・・・張り出し部材、１４ａ，１４ｂ・・・落下防止部材、１５・・・フック、２０・・・誘引栽培用作業スタンド、２１・・・キャスタ式車輪、２２・・・ベース部材、２２ａ〜２２ｄ・・・腕部、２３・・・支柱、２４・・・張り出し部材、２４ａ，２４ｂ・・・落下防止部材、２５・・・フック、２６・・・軸部材、２７・・・固定部材、３０・・・誘引栽培用作業スタンド、３１・・・車輪、３１ａ・・・溝、３２・・・ベース部材、３２ａ，３２ｂ・・・腕部、３２ｃ・・・連結板３３・・・支柱、３４・・・張り出し部材、３４ａ，３４ｂ・・・落下防止部材、３５・・・フック、４０・・・誘引栽培用作業スタンド、４１・・・キャスター式車輪、４２・・・ベース部材、４２ａ〜４２ｄ・・・腕部、４３・・・支柱、４４・・・張り出し部材、４４ａ，４４ｂ・・・落下防止部材、４５〜４７・・・フック。
【図１】
2018126103.tif 000003
【図２】
2018126103.tif 000004
【図３】
2018126103.tif 000005
【図４】
2018126103.tif 000006
【図５】
2018126103.tif 000007
【図６】
2018126103.tif 000008
【図７】
2018126103.tif 000009